(57)【特許請求の範囲】
【請求項１】
ベル本体と前記ベル本体に連結した転動部とを備え、
前記ベル本体の内側であって転動部に沿って転がる打撃子を有し、
前記打撃子が転動部に沿って転がりベル本体の内側に当接すると前記ベル本体が振動し音が出るものであり、
前記打撃子がベル本体に当接しても前記ベル本体が振動しないように切り替えるための消音手段を有し、前記消音手段はベル本体の外側に配置したカバー部を外側から押え当該ベル本体の振動を抑えるものであることを特徴とする消音機能付きベル。
【発明の詳細な説明】
【技術分野】
【０００１】
本発明は、ベルが鳴る状態と鳴らない状態に切り替えることができる消音機能付きのベルに関する。
【背景技術】
【０００２】
トレッキング等の山歩きをする人や山菜採りをする人等が、熊やイノシシ等の動物が近付くのを避けるためにトレッキングベル，熊よけベル等を持ち歩くことがある。
また、人に警報するためのベルもある。
これらのベルは、人が電車等の交通機関に乗車する等、鳴らしてはいけない場合もある。
例えば、特許文献１，２には、ベルが鳴る状態と鳴らない状態に切り替える発明を開示する。
しかし、同公報に開示する構造は、打撃部をワイヤー等にて連結し、このワイヤーを引っ張ることで消音状態にするものであり、歩きながらワイヤーを引っ張る動作が大変であり、またワイヤーが切れたり、ワイヤーの取付部が外れたりする問題があった。
【先行技術文献】
【特許文献】
【０００３】
【特許文献１】特開２０１２−０８５５６２号公報
【特許文献２】特開２０１２−０８５５６３号公報
【発明の概要】
【発明が解決しようとする課題】
【０００４】
本発明は、ベルの消音状態と鳴る状態との相互の切り替えが容易なベルの提供を目的とする。
【課題を解決するための手段】
【０００５】
本発明に係るベルは、ベル本体と当該ベル本体の内側に配置した打撃子を備え、打撃子によりベルが鳴る状態と、ベルが鳴らない状態に切り替えるための消音手段を有し、前記消音手段はノック式又はプッシュ式であることを特徴とする。
ここで、ベル本体はカバー部で覆われ、前記消音手段はカバー部の内側に配設してあってもよく、消音手段は打撃子の動きを止める機構、打撃子をベル本体から離間する機構、及びベル本体の振動を抑える機構のうち、いずれかであってよい。
【０００６】
本発明において、ノック式，プッシュ式は、ワイヤー等で引っ張るものを除く趣旨であり、操作ボタンをノックしたりプッシュするだけで、鳴る状態と消音状態に切り替えることができる。
消音手段として用いるノック式又はプッシュ式とは、ボールペン等に広く使用されているノックカム機構があり、その他のオルタネイト動作型としてハート状カム方式，回転カム方式，ラッチカム方式等が例として挙げられる。
ハート状カム方式は、プレートの片側表面上にハートに似た形状をした方向性のある段差を設けた溝を付けておき、ピンを溝に９０°の角度で接するようにし、そのピンの一端をプランジャーに支持して溝内をプランジャーの動きに合せて移動させる。
プランジャーの一定の位置まで動作させて休止すると、ピンは溝の段差で止まる。
再度プランジャーを動作させるとピンは少し後に戻り、溝に沿って初めの段差まで戻り自由状態となる。
ボタンを２回押すとピンは一周して切り替わる。
回転カム方式は、両端の切り欠き部があり、回転自在にリブに取り付けられたカムと、このカムの周囲端面と接するフレームで構成されたものである。
ラチェットカム方式は、ラチェットカム状の爪をレバーで押すとカムは回転し、あるレベル以上は回転しなくなる。
再度レバーを押すと回転するものである。
【０００７】
本発明において消音手段は、ベル本体部の内側に設けた打撃子が自由に動く状態ではベルが鳴り、ノックボタン，プッシュボタン等を押すと打撃子の動きが止められ、再度押すと打撃子の動きが自由状態に戻るものでもよい。
この場合に打撃子の動きを止める手段として、ピンの突没により機械的に止めるもの、磁石の突没により磁力にて止めるもの等が例として挙げられる。
また、打撃子を機械的又は磁力的にベル本体部に当接しないように離間させてもよい。
また、通常はベル本体部の鳴るのを抑えないようにカバー部を設け、例えば外側からカバー部を押し、ベル本体部と接触させることでベル本体部の振動を抑えるものでもよい。
【発明の効果】
【０００８】
本発明においては、ベルの鳴る状態と鳴らない状態とを切り替える消音手段として、ノック式，プッシュ式を採用したので操作性に優れ、ワイヤー等がないため切れる恐れもなく、耐久性に優れる。
また、ノック式，プッシュ式の操作ボタンの形状は円柱状のボタンのみならず、Ｌ字型レバー式，Ｔ字型レバー式又は側部に大きく突出した円盤型でもよい。
【図面の簡単な説明】
【０００９】
【図１】本発明に係るベルの構造例を示す。
【図２】ベルの本体部にカバー部を形成した例を示す。
【図３】ベルの本体部を打撃子の転動部と共振部とで形成した例を示す。
【図４】図３のベルにカバー部を設けた例を示す。
【図５】（ａ）はカバー部に平坦側面を設けた例を示す。（ｂ）は横プッシュ式の消音手段を設けた例を示す。
【図６】カバー部を抑えることで消音させる例を示す。
【図７】カバー部に転動部を形成した例を示す。
【図８】宇宙コマのようにベルを保持させた例を示す。
【発明を実施するための形態】
【００１０】
本発明に係るベルの構造例を以下図面に基づいて説明するが、本発明はこれらに限定されない。
図１は、ベルの断面図を示し、内部が中空形状のベルの本体部１１の内側に打撃子３０を通常は転動自在に配置してある。
本体部１１は、スチール，銅合金等の金属製であり、打撃子３０が転がる転動部１１ａをカップを逆さ状にした本体部１１の下側に設けてある。
この転動部１１ａは、本体部１１に一体的に形成してもよく、また別体の転動部１１ａをフレームやアーム状の部材で本体部１１に連結してもよい。
図１は、打撃子３０が凹面状の転動部１１ａを転がり、本体部１１の内側に当接することで鳴るようになっていて、本体部１１の振動を妨げないように部分的に又は全周にスリット部１１ｂを設けた例になっている。
なお、転動部１１ａと本体部１１を一体的に形成し、転動部１１ａの底部に打撃子３０が落ちない幅のスリット部を設けてもよい。
【００１１】
図１は、ノック式の消音手段２０を形成した例を示す。
本体部１１の筒状部１１ｄの内側に筒状のカム本体２２を取り付け、このカム本体２２の内壁には、先端が一方向に傾斜した段状の係止部２２ａ，２２ｂと回転子２３が上下移動できる溝部を有する。
回転子２３は、ノック部側にノック部２１の先端部のギザギザ部２１ａとかみ合うギザギザ部を有し、ノック部をノックすると相互のギザギザ部がかみ合い、所定角度回転子２３が回転する。
回転子２３の外周部に設けた係止部がカム本体の溝部に一致すれば、その溝部に沿って回転子２３がカム本体２２の内側を上下移動し、押し出された回転子２３が回転し、回転子２３の係止部がカム本体の内側の段差状の係止部２２ａに係止し、スプリング２４に対抗した回転子２３の突出状態が維持される。
これにより、ノック部２１を１回押すと回転子２３の軸部２５ａの先端に連結された制止部２５が突出し、再度ノック部２１を押すと回転子２３が所定角度回転し、カム本体の溝に沿って後退するので、制止部２５が上昇位置に移動する。
制止部２５は、打撃子３０を機械的に上から押さえても磁石を近づけることで磁着制止させてもよい。
特に図２に示すように、消音手段２０をカバー部１４の内側で横方向から本体部１１の内部に臨むように配置した場合には、磁石からなる制止部２５を突出させると、軽く振るだけで打撃子３０が磁着し、制止部２５を没入させることで打撃子３０の動きをフリー状態にすることができる。
なお、図２ではカバー部１４の内側にノック部があるので、ノック部が物に引っ掛かるのを防止する。
また、図１のように上下方向にノック部２１を設けた場合でも、吊り下げ用のリング１２の内側にノック部２１を配置することができるので、ノック操作が容易である。
【００１２】
図３は、本体部１１を異形状の打撃子３０が転がり、音が出る転動部１１ａの上にスリット部１１ｂを介して上側に共振部１１ｃを形成することで、共鳴音が鳴るようにした例である。
この場合に、本体部１１を横方向に保持できるように支持アーム１３を側部から折り曲げるように上方に配置し、上部に吊り下げ部１３ａを設けた例になっている。
図４は、消音手段２０を横方向に設け、カバー部１４を設けた例である。
カバー部１４があると、カバー部が衣服等に接触しても音が止まらない。
【００１３】
図５（ａ）は、カバー部１４に転動部１４ｂを形成するとともに側面を平坦部１４ａに形成し、体やバック等にフィットしやすくした例である。
図５（ｂ）は、横方向に支点部２６ｂで回転する制止アーム２６ａを設けた例である。
図６は、カバー部１４を外側の押え部材２７とその操作部２７ａにて押え、本体部１１の振動を抑えた例である。
図７は、カバー部１４にカム本体２２を取り付け、カバー部１４の内側に本体部１１を吊り下げた二重構造にした例である。
図８は、上下方向の保持枠５１に対して水平方向に配置し、且つ揺動自在の水平枠５２を取り付け、この水平枠５２に対して垂直枠５３を揺動自在に取り付けた例である。
この垂直枠５３にベルの本体部１１を取り付けると、常にベルの本体部が垂直方向に維持され、転動部が水平方向に保持される。
【符号の説明】
【００１４】
１１      本体部
１１ａ    転動部
１４      カバー部
２０      消音手段
２１      ノック部
２２      カム本体
２３      回転子
３０      打撃子
【図１】
0006519040.tif 000002
【図２】
0006519040.tif 000003
【図３】
0006519040.tif 000004
【図４】
0006519040.tif 000005
【図５】
0006519040.tif 000006
【図６】
0006519040.tif 000007
【図７】
0006519040.tif 000008
【図８】
0006519040.tif 000009